(57)【要約】  【課題】  本体高さ寸法の標準化をはかると同時に、高さ寸法を小さくしたり、もしくは湾曲部の曲率を変えた熱交換器と容易に交換して正確に取付できるようにした空気調和機の室外機を提供する。  【解決手段】  底板１と外胴５とで本体を構成し、同本体内を仕切板２により圧縮機室と熱交換器室とに区画し、前記圧縮機室に圧縮機３を設け、前記熱交換器室に熱交換器４と送風機13とを設け、前記熱交換器４は高さ寸法が小さく形成されたものに交換することで前記本体内の高さ方向に生じた隙間に遮風部材６を設けてなる空気調和機の室外機において、前記遮風部材６が、前記熱交換器４に当接する当接部７と、同当接部７に立設した遮風部８とで構成され、当接時に位置決めするための位置決め片12と、着脱可能に取り付けるための取付片8bとを備えた。【選択図】  図１
2005147516.tif 000002
【特許請求の範囲】
【請求項１】
底板と、同底板に被着された外胴とで本体を構成し、同本体内を前記底板に立設した仕切板により圧縮機室と熱交換器室とに区画し、前記圧縮機室に圧縮機を設け、前記熱交換器室に熱交換器と送風機とを設け、前記熱交換器は高さ寸法が小さく形成されたものに交換することで前記本体内の高さ方向に生じた隙間に遮風部材を設けてなる空気調和機の室外機において、
前記遮風部材が、前記熱交換器に当接する当接部と、同当接部に立設した遮風部とで構成され、当接時に位置決めするための位置決め片と、着脱可能に取り付けるための取付片とを備えてなることを特徴とする空気調和機の室外機。
【請求項２】
底板と、同底板に被着された外胴とで本体を構成し、同本体内を前記底板に立設した仕切板により圧縮機室と熱交換器室とに区画し、前記圧縮機室に圧縮機を設け、前記熱交換器室に熱交換器と送風機とを設け、前記熱交換器は高さ寸法が小さく形成されたものに交換することで前記本体内の高さ方向に生じた隙間に遮風部材を設けてなる空気調和機の室外機において、
前記遮風部材が、前記熱交換器に当接する当接部と、同当接部に立設した遮風部とで構成され、前記当接部と前記遮風部とに接続して強度を補強する補強リブを備えてなることを特徴とする空気調和機の室外機。
【請求項３】
底板と、同底板に被着された外胴とで本体を構成し、同本体内を前記底板に立設した仕切板により圧縮機室と熱交換器室とに区画し、前記圧縮機室に圧縮機を設け、前記熱交換器室に熱交換器と送風機とを設け、前記熱交換器は高さ寸法が小さく形成されたものに交換することで前記本体内の高さ方向に生じた隙間に遮風部材を設けてなる空気調和機の室外機において、
前記遮風部材が、前記熱交換器の上端に当接する当接部と、同当接部に立設した遮風部とで構成され、前記熱交換器の曲げ形状に対応して湾曲可能であることを特徴とする空気調和機の室外機。
【請求項４】
前記位置決め片が、前記熱交換器を構成するフィンの周縁に当接するようにしてなることを特徴とする請求項１に記載の空気調和機の室外機。
【請求項５】
前記位置決め片が、前記熱交換器を構成するフィン間に嵌入されるようにしてなることを特徴とする請求項１に記載の空気調和機の室外機。
【請求項６】
前記取付片が、前記熱交換器の側端部に係脱可能に係止する係止片からなることを特徴とする請求項１に記載の空気調和機の室外機。
【請求項７】
前記当接部に挿通孔が複数設けられてなることを特徴とする請求項１乃至請求項３の何れかに記載の空気調和機の室外機。
【請求項８】
前記補強リブが所定の間隔を有して複数設けられてなることを特徴とする請求項２に記載の空気調和機の室外機。
【請求項９】
前記挿通孔が、前記当接部の端部を開放して形成されると共に、前記遮風部が、前記挿通孔の位置に対応して形成された湾曲用の薄肉部を備えてなることを特徴とする請求項１乃至請求項３または請求項７の何れかに記載の空気調和機の室外機。
【発明の詳細な説明】
【技術分野】
【０００１】
本発明は、空気調和機の室外機に係わり、より詳細には、本体高さ寸法の標準化をはかると同時に、高さ寸法を小さくしたり、もしくは湾曲部の曲率を変えた熱交換器と容易に交換して正確に取付できるようにした構造に関する。
【背景技術】
【０００２】
従来の空気調和機の室外機には、底板および外胴からなる本体内に設けられた熱交換器を、高さ寸法を小さくしたものと交換する際、高さ寸法を小さくした熱交換器と底板との間に下部遮風部を介装するようにしたり、または、保持板との間に上部遮風部を介装するように構成されてなるものが開示されていた（例えば、特許文献１参照。）。
【０００３】
上記構成により、前記熱交換器を、例えば使用者が希望する熱交換能力に応じて高さ寸法を小さくしたものと交換するような場合、該熱交換器の高さ寸法を小さくするとともに、小さくした熱交換器と前記底板との間に下部遮風部を介装したので、もしくは、該熱交換器の高さ寸法を小さくするとともに、小さくした熱交換器と前記保持板との間に上部遮風部を介装したので、前記本体高さ寸法の標準化をはかると同時に、小さくした前記熱交換器を効率よく空気が通過できるようにして、使用者が希望する熱交換能力に応じて、前記熱交換器を低能力用の熱交換器と容易に交換できるようにした空気調和機の室外機となる。
【０００４】
しかしながら、上記構成でなる空気調和機の室外機においては、前記下部遮風部または前記上部遮風部を複数箇所ねじ締めするなどして固定する必要があることから、正確に位置決めするのが困難であり、また、取付の作業性が悪く安定性もよくないため、例えば反りによって変形したような場合、熱交換器との間に隙間が生じて遮風性が悪くなってしまうという問題点を有していた。
【０００５】
また、前記下部遮風部または前記上部遮風部が板材からなる構成であることから、強度が不足して、強い衝撃を受けると割れや変形を起こすおそれがあり、また、前記熱交換器の湾曲部の曲率が異なるような場合、遮風性能を損なうことがないよう正確に取り付けることができないという問題点を有していた。
【０００６】
【特許文献１】特開平１１−６３５６３号公報（第１頁〜第５頁、第１図〜第３図）
【発明の開示】
【発明が解決しようとする課題】
【０００７】
本発明は上記の問題点に鑑み、本体高さ寸法の標準化をはかると同時に、高さ寸法を小さくしたり、もしくは湾曲部の曲率を変えた熱交換器と容易に交換して正確に取付できるようにした空気調和機の室外機を提供することを目的とする。
【課題を解決するための手段】
【０００８】
本発明は、上記課題を解決するため、底板と、同底板に被着された外胴とで本体を構成し、同本体内を前記底板に立設した仕切板により圧縮機室と熱交換器室とに区画し、前記圧縮機室に圧縮機を設け、前記熱交換器室に熱交換器と送風機とを設け、前記熱交換器は高さ寸法が小さく形成されたものに交換することで前記本体内の高さ方向に生じた隙間に遮風部材を設けてなる空気調和機の室外機において、
前記遮風部材が、前記熱交換器に当接する当接部と、同当接部に立設した遮風部とで構成され、当接時に位置決めするための位置決め片と、着脱可能に取り付けるための取付片とを備えてなる構成となっている。
【０００９】
また、底板と、同底板に被着された外胴とで本体を構成し、同本体内を前記底板に立設した仕切板により圧縮機室と熱交換器室とに区画し、前記圧縮機室に圧縮機を設け、前記熱交換器室に熱交換器と送風機とを設け、前記熱交換器は高さ寸法が小さく形成されたものに交換することで前記本体内の高さ方向に生じた隙間に遮風部材を設けてなる空気調和機の室外機において、
前記遮風部材が、前記熱交換器に当接する当接部と、同当接部に立設した遮風部とで構成され、前記当接部と前記遮風部とに接続して強度を補強する補強リブを備えてなる構成となっている。
【００１０】
また、底板と、同底板に被着された外胴とで本体を構成し、同本体内を前記底板に立設した仕切板により圧縮機室と熱交換器室とに区画し、前記圧縮機室に圧縮機を設け、前記熱交換器室に熱交換器と送風機とを設け、前記熱交換器は高さ寸法が小さく形成されたものに交換することで前記本体内の高さ方向に生じた隙間に遮風部材を設けてなる空気調和機の室外機において、
前記遮風部材が、前記熱交換器の上端に当接する当接部と、同当接部に立設した遮風部とで構成され、前記熱交換器の曲げ形状に対応して湾曲可能な構成となっている。
【００１１】
また、前記位置決め片が、前記熱交換器を構成するフィンの周縁に当接するようにしてなる構成となっている。
【００１２】
また、前記位置決め片が、前記熱交換器を構成するフィン間に嵌入されるようにしてなる構成となっている。
【００１３】
また、前記取付片が、前記熱交換器の側端部に係脱可能に係止する係止片からなる構成となっている。
【００１４】
また、前記当接部に挿通孔が複数設けられてなる構成となっている。
【００１５】
また、前記補強リブが所定の間隔を有して複数設けられてなる構成となっている。
【００１６】
更に、前記挿通孔が、前記当接部の端部を開放して形成されると共に、前記遮風部が、前記挿通孔の位置に対応して形成された湾曲用の薄肉部を備えてなる構成となっている。
【発明の効果】
【００１７】
本発明によれば、熱交換器を高さ寸法を小さくしたり、もしくは湾曲部の曲率を変えたものと交換する際、この高さ寸法を小さくしたり、もしくは湾曲部の曲率を変えた熱交換器と外胴との間に、湾曲部の曲率に対応して変形可能な遮風部材を設けたので、本体高さ寸法の標準化をはかると同時に、熱交換器を容量が異なるものと容易に交換して正確に取付できるようにした空気調和機の室外機となる。
【発明を実施するための最良の形態】
【００１８】
以下、本発明の実施の形態を、添付図面に基づいた実施例として詳細に説明する。
図１は本発明による空気調和機の室外機の透過斜視図、図２は本発明による空気調和機の室外機の分解斜視図、図３は本発明による空気調和機の室外機の要部説明図で、（Ａ）は遮風部材の平面図、（Ｂ）は湾曲部の曲率を小さくした遮風部材の平面図、（Ｃ）は湾曲部の曲率を大きくした遮風部材の平面図、図４は本発明による空気調和機の室外機の要部説明図で、（Ａ）は遮風部材の斜視図、（Ｂ）は（Ａ）で示すＡ部の拡大図、図５は本発明による空気調和機の室外機の要部説明図で、（Ａ）は熱交換器と遮風部材をを示す斜視図、（Ｂ）は（Ａ）で示すＡ矢視図、（Ｃ）は背面側からみた要部斜視図、（Ｄ）は（Ｃ）で示すＣ部の断面図、（Ｅ）は熱交換器と遮風部材と外胴の上面とを示す断面図、図６は本発明による空気調和機の室外機の要部説明図で、（Ａ）は遮風部材の取付前の一実施例を示す斜視図、（Ｂ）は取付後の一実施例を示す斜視図、図７は本発明による空気調和機の室外機の要部斜視図で、（Ａ）は遮風部材の取付前の他の実施例を示す斜視図、（Ｂ）は（Ａ）で示すＡ部の拡大図、図８は本発明による空気調和機の室外機の要部説明図で、（Ａ）は遮風部材の取付状態を示す斜視図、（Ｂ）は（Ａ）で示すＡ部の拡大図、（Ｃ）は（Ａ）で示すＢ部の拡大図、（Ｄ）は（Ａ）で示すＡ矢視図、（Ｅ）は（Ａ）で示すＢ矢視図である。
【００１９】
本発明による空気調和機の室外機は、図１と図２とで示すように、底板１上が、同底板１上に立設された仕切板２により圧縮機室と熱交換器室とに区画され、前記圧縮機室には圧縮機３および電装品箱14が、前記熱交換器室には、湾曲部4aにより略Ｌ字状に湾曲された熱交換器４と、同熱交換器４に対向させた送風機13とが夫々設けられ、前記底板１には外胴５が被着されることによって本体が構成されている。
【００２０】
なお、前記熱交換器４については、ここでは湾曲部4aにより略Ｌ字状に湾曲された事例に基づいて説明するが、2 ヶ所の湾曲部によりコ字状に湾曲されたものが設けられるようにしてもよい。
【００２１】
そして、例えば前記熱交換器４を、高さ寸法を小さくしたり、もしくは前記湾曲部4aの曲率を変えたものと交換するような場合、この熱交換器４の高さ寸法や湾曲部4aの曲率を変えるなどした熱交換器４と前記外胴５との間に、前記湾曲部4aの曲率に対応して弾性変形が可能な遮風部材６が簡便に取り付けられるようにした構成になっている。
【００２２】
これによって、高さ寸法を小さくしたり、もしくは前記湾曲部4aの曲率を変えた熱交換器であっても、これに対応できるように構成された前記遮風部材６を容易に取り付けることによって、高さ寸法を小さくした熱交換器４と前記外胴５との間を正確に遮蔽できるようになる。
【００２３】
すなわち、前記遮風部材６は、図３（Ａ）で示すように真直ぐ伸ばした状態から、図３（Ｂ）で示すように、前記湾曲部4aの曲率が小さい前記熱交換器４に対応して曲げるようにしたり、図３（Ｃ）で示すように、前記湾曲部4aの曲率が大きい前記熱交換器４に対応して曲げるようにすることで、図３（Ｂ）で示すＡ方向およびＢ方向の長さ違いの前記熱交換器４に対応して取付できるので、高さ寸法もしくは前記湾曲部4aの曲率が異なる熱交換器を、前記底板１および前記外胴４により所定の大きさに構成された本体内に載置できるようにした構造となる。
【００２４】
次に、添付図面に基づいて、前記遮風部材６の構造および取付手順等に関する実施例について更に詳細に説明する。
【実施例１】
【００２５】
前記遮風部材６は、実施例１として図４（Ａ）および図４（Ｂ）で示すように、前記熱交換器の上端に当接する水平板状の当接部７と、同当接部７に立設した遮風部８とで断面Ｌ字状に形成された構成になっている．
なお、ここでは、前記遮風部材６が前記熱交換器の上端に設けられた事例として説明するが、前記遮風部材６は、前記熱交換器の上端に限らず下端に設けられるようにしてもよい。
【００２６】
前記遮風部材６の当接部７には、挿通孔11が複数設けられることによって該箇所に塵埃や水が溜まってしまわないように構成されている。また、前記挿通孔11は、図４（Ａ）および図４（Ｂ）で示すように前記当接部７の端部を開放してＶ字状に形成されることで、前記熱交換器４の湾曲部4aに対応して前記遮風部材６を曲げる際、Ｖ字状に形成された前記挿通孔11がニゲになることによって、薄肉部8aを備えた前記遮風部８を容易に曲げることができる。
【００２７】
なお、前記当接部７の挿通孔11および前記遮風部８の薄肉部8aは、所定の間隔を有した状態で複数設けられることによって、前記遮風部材６を前記湾曲部4aに対応する曲率により任意の位置で曲げることができるようになる。
【００２８】
そして、前記遮風部材６は、前記熱交換器４の上端に取り付ける際、同遮風部材６に突設された位置決め片12により正確に位置決めされることになる。
すなわち、前記位置決め片12は、例えば実施例１として図６（Ａ）および図６（Ｂ）で示すように、等間隔で平行に並べられた多数のフィン4bと、これに直交する伝熱管4cとからなる前記熱交換器４が二列に設けられた構成でなるような場合、この二列でなる熱交換器４の一列目と二列目とのフィン4b間の複数箇所に、所定の間隔をおいて順次嵌入することによって前記遮風部材６を位置決めすればよい。
【実施例２】
【００２９】
または、実施例２として図７（Ａ）および図７（Ｂ）で示すように、一列でなる前記熱交換器４に対しては、同熱交換器４の風下側となる前端部に、所定の間隔をおいた複数の前記位置決め片12を当接させることによって前記遮風部材６を位置決めするようにしてもよい。
この場合、図５（Ａ）で示すように、前記位置決め片12を前記熱交換器４の風上側となる後端部にも当接させるようにすることで、とくに矢印Ｂで示す方向にも位置ずれが生じないように位置決めできるようになる。
【００３０】
また、前記位置決め片12を互いに平行に並べられた前記フィン4b間に嵌入させることによって前記遮風部材６を位置決めするようにしてもよい。
この場合、互いに平行な前記フィン4b間に嵌入させた前記位置決め片12を前記伝熱管4cにも係合させるようにすることで、更に正確に且つ強固に位置決めできるようになる。
【００３１】
前記遮風部材６は、前記位置決め片12によって前記熱交換器４の上端部に位置決めされると共に、図８（Ａ）、図８（Ｂ）および図８（Ｄ）で示すように、前記熱交換器４の一側の側板4dに対応する取付片8bと係合片8cとが一端に設けられており、図８（Ｄ）の矢印Ｄで示すように、前記熱交換器４の上端部に前記当接部７を上方から当接させた際、前記熱交換器４のフィン4bと、前記取付片8bおよび前記係合片8cとで前記側板4dを挟むようにした状態で一端が容易に、且つ正確に係止されるようになっている。
【００３２】
次に、図８（Ａ）、図８（Ｃ）および図８（Ｅ）に基づいて、前記遮風部材６の他端が前記熱交換器４の上端部に係止され、または固定される構造について説明する。
前記遮風部材６は、前記熱交換器４の他側の側板4dに対応する取付片8bからなる係止溝8dが他端に設けられており、この係止溝8dが前記熱交換器４の側板4dに係止されることによって他端が容易に、且つ正確に係止されるようになっている。
【００３３】
これによって、前記遮風部材６は、前記熱交換器４の上端部に、その上方から前記当接部７を当接させると共に、前記位置決め片12を前記熱交換器４のフィン4bに当接またはフィン4b間に嵌入させて位置決めするようにし、且つ、前記側板4dを前記取付片8bおよび前記係合片8cとで前記側板4dを挟むようにし、また、前記係止溝8dを前記側板4dに係止することで容易に取り付けられるようになる。
【００３４】
ここで、図５（Ｂ）乃至図５（Ｅ）に基づいて、前記遮風部材６が前記熱交換器４の上端部に取り付けられ、且つ前記底板１に前記外胴５が被着された状態について詳細に説明する。図５（Ｂ）で示すように、前記遮風部材６に設けられた凹部6bに、前記外胴５に設けられた凸部5aを係合するようになっており、これによって、前記遮風部材６が上部方向に移動しようとしても前記外胴５に引っ掛かって抑制されることになる。
【００３５】
または、図５（Ｃ）および図５（Ｄ）で示すように、前記遮風部材６に断面Ｌ字状の係止爪９を設け、この係止爪９が前記保護網15の上端部に係止されるようにしてもよい。
これによって、前記遮風部材６が上部方向に移動しようとしても前記外胴５に引っ掛かって抑制されることになり、前記熱交換器４と前記遮風部材６との間に隙間が生じないよう効果的に密閉できて正確に遮風できるようになる。
【００３６】
次に、図８（Ａ）、図８（Ｃ）および図８（Ｅ）に基づいて、前記遮風部材６の他端が前記熱交換器４の上端部に係止され、または固定される構造について説明する。
前記遮風部材６は、前記熱交換器４の他側の側板4dに対応する取付片8bからなる係止溝8dが他端に設けられており、この係止溝8dが前記熱交換器４の側板4dに係止されることによって他端が容易に、且つ正確に係止されるようになっている。
【００３７】
なお、前記遮風部材６の他端に、前記係止溝8dを設けると共に、前記側板4dに設けられたねじ孔に対応する取付穴6cとを設けることによって、同取付穴6cを通したねじを前記ねじ孔に螺着することで更に強固に固定するようにしてもよい。
【００３８】
その際、前記遮風部材６の取付穴6cは、下方を開放して逆Ｕ字状に形成された構成にすることによって、前記熱交換器４の上端に前記遮風部材６他端の当接部７を当接する際、前記側板4dのねじ孔にねじ先端部を螺着したままの状態で、そのねじ基端部に前記遮風部材６の取付穴6cを係合してねじ締め固定できるので作業性がよい。
【図面の簡単な説明】
【００３９】
【図１】本発明による空気調和機の室外機の透過斜視図である．
【図２】本発明による空気調和機の室外機の分解斜視図である．
【図３】本発明による空気調和機の室外機の要部説明図で、（Ａ）は遮風部材の平面図であり、（Ｂ）は湾曲部の曲率を小さくした遮風部材の平面図であり、（Ｃ）は湾曲部の曲率を大きくした遮風部材の平面図である．
【図４】本発明による空気調和機の室外機の要部説明図で、（Ａ）は遮風部材の斜視図であり、（Ｂ）は（Ａ）で示すＡ部の拡大図である．
【図５】本発明による空気調和機の室外機の要部説明図で、（Ａ）は熱交換器と遮風部材をを示す斜視図であり、（Ｂ）は（Ａ）で示すＡ矢視図であり、（Ｃ）は背面側からみた要部斜視図であり、（Ｄ）は（Ｃ）で示すＣ部の断面図であり、（Ｅ）は熱交換器と遮風部材と外胴の上面とを示す断面図である．
【図６】本発明による空気調和機の室外機の要部説明図で、（Ａ）は遮風部材の取付前の一実施例を示す斜視図であり、（Ｂ）は取付後の一実施例を示す斜視図である。
【図７】本発明による空気調和機の室外機の要部斜視図で、（Ａ）は遮風部材の取付前の他の実施例を示す斜視図であり、（Ｂ）は（Ａ）で示すＡ部の拡大図である。
【図８】本発明による空気調和機の室外機の要部説明図で、（Ａ）は遮風部材の取付状態を示す斜視図であり、（Ｂ）は（Ａ）で示すＡ部の拡大図であり、（Ｃ）は（Ａ）で示すＢ部の拡大図、（Ｄ）は（Ａ）で示すＡ矢視図であり、（Ｅ）は（Ａ）で示すＢ矢視図である。
【符号の説明】
【００４０】
１  底板
２  仕切板
３  圧縮機
４  熱交換器
4a  湾曲部
4b  フィン
4c  伝熱管
4d  側板
５  外胴
5a  凸部
６  遮風部材
6a  動作防止リブ
6b  凹部
6c  取付穴
７  当接部
８  遮風部
8a  薄肉部
8b  取付片
8c  係合片
8d  係止溝
９  係止爪
10  補強リブ
11  透孔
12  位置決め片
13  送風機
14  電装品箱
15  保護網
16  固定部
【図１】
2005147516.tif 000003
【図２】
2005147516.tif 000004
【図３】
2005147516.tif 000005
【図４】
2005147516.tif 000006
【図５】
2005147516.tif 000007
【図６】
2005147516.tif 000008
【図７】
2005147516.tif 000009
【図８】
2005147516.tif 000010